(57)【要約】      （修正有）【課題】美容技術者と一般利用客とを紹介する第三者的なシステムを提供する。【解決手段】通信ネットワーク４に端末２、管理サーバー６、紹介所5が接続されており、端末２及び紹介所5を通じて一般利用客は入会手続きを済まし、自身の納得がいく美容技術者を探すことが出来る。また、管理サーバーを運営する紹介所５が第3者的な立場で、通信ネットワークを介して両者を紹介するシステムを提供する。【選択図】図１
2008009675.tif 000002
【特許請求の範囲】
【請求項１】
通信ネットワークに端末及び管理サーバーが接続され、前記端末を通じて一般利用客からの紹介の希望があった時、端末上から管理サーバーへ一般利用客の希望内容と簡単な個人プロフィールを入力してもらい、自身が保有する美容技術者の登録会員の個人データーを記録したデーターベースを参照し、登録会員である美容技術者と一般利用客のデーターマッチングを行うステップと、一般利用客の希望が有れば、予め用意された相性診断プログラムによってのデーターマッチングを行うステップと、この結果の中から希望条件に合った登録会員の美容技術者を紹介するステップと、一般利用客がこの中から気に入った美容技術者がいて、美容を行う意思があれば、再び予約の日時を端末上から入力し、これを管理サーバーが登録会員に連絡して、日時が決まれば双方の同時紹介を行う美容技術者紹介システム。
【請求項２】
通信ネットワークに端末及び管理サーバーが接続され、前記端末を通じて一般利用客からの紹介の希望があった時、端末上から管理サーバーへ一般利用客は希望内容と簡単な個人プロフィールを入力して、入会手続きを済ませるステップ。通信ネットワーク上に公開される美容技術者の中から条件に当てはまる技術者がいて紹介を希望する場合に、管理サーバーが両者の間に第三者の立場として介入し、双方の連絡の取り合いなども通信ネットワーク上にて行えるシステムを提供する、通信ネットワークを通じて管理サーバーが第三者としての立場に介入し、双方の紹介を行うことを特徴とする美容技術者紹介システム。
【請求項３】
通信ネットワークに端末及び管理サーバーが接続され、端末からは一般利用客と美容技術者からの別々の入り口を用意するステップ。一般利用客は一般利用客専用の入り口から通信ネットワークを通じて、管理サーバーにアクセスし、自身が希望する「場所、日時、技術者のキャリア、性別、年齢」等、条件を入力するステップ。また、管理サーバーはこの一般利用客からの応募用件を自身が保有する通信ネットワーク上に公開するステップ。美容技術者は美容技術者専用の入り口から通信ネットワークを通じて管理サーバーにアクセスして、会員登録をするステップ。また、会員登録を済ました美容技術者は通信ネットワーク上に公開されている、一般利用客の応募用件を見て、自身がその用件に当てはまると思える場合にはその一般利用客に対して応募をするステップ。次に管理サーバーは、一般利用客に対して、専用のパスワードを発行し、美容技術者からの応募があれば、通信ネットワーク上でその応募状況を一般利用客に公開するステップ。一般利用客は自身の専用パスワードにて通信ネットワークにアクセスし、公開されている応募状況をみて、自身の気に入った美容技術者がいた場合には管理サーバーに応募を受ける旨を伝え、管理サーバーは応募に受かった美容技術者に通信ネットワーク上にて伝えるステップ。応募に受かった美容技術者は再度管理サーバーに応募の意思の有無を伝え、管理サーバーもその最終結果を一般利用客に対して知らせるステップによる、美容希望の一般利用者に対して、美容技術者からの応募による、美容技術者紹介システム。
【請求項４】
通信ネットワークに接続された端末機器を保有する紹介所を設け、端末を持たない美容技術者や一般利用客に場所と手続きのサービスを行う、請求項１と請求項２と請求項３に記載の美容技術者紹介システム。
【発明の詳細な説明】
【技術分野】
【０００１】
本発明は通信ネットワーク上にある管理サーバーの管理下で端末を通じて、一般利用客の希望条件に合った登録会員の美容技術者          を紹介、また希望により管理サーバーが提供する相性診断プログラムによって紹介を行う、美容技術者紹介システムに関する。
【０００２】
本発明は通信ネットワーク上にある管理サーバーの管理下で端末を通じて、一般利用客の希望条件に合った登録会員の美容技術者  を紹介し、管理サーバーが提供する通信ネットワーク上にて両者の希望に合った美容を行う日時を取り決める事ができる美容技術者紹介システムに関する。
【０００３】
本発明は通信ネットワーク上にて会員登録をした美容技術者を公開し、一般利用客は入会手続きを済ませ、自身の希望に合った美容技術者が見つかった場合には、管理サーバーが提供する通信ネットワーク上にて希望に合った美容を行う日時を取り決めることができる美容技術者紹介システムに関する。
【０００４】
本発明は通信ネットワーク上にて美容を希望する一般利用客を公開し、会員登録をした美容技術者による応募を一般利用客は受け、その中から希望要件に合った美容技術者を選んで、管理サーバーによる紹介を受けることによって美容を行う、美容技術者からの応募による美容技術者紹介システムに関する。
【背景技術】
【０００５】
整髪、散髪、ネイル、エステ等、美容を行う際、一般利用客は、知人からの紹介や、雑誌、新聞、テレビ、ラジオ、インターネット、チラシ等の広告から知りえた店舗を訪れるのが一般的である。しかし、店舗の見た目の良さ、評判と、実際に自分を美容する技術者が、自分のニーズを満たしているのか、技術者との相性が良いかは、美容を行った後でしか分からないので、なかなか自分が満足できる美容が行えないのが現状である。また、一般利用客は自身の美容に行ける場所的範囲にどんな美容技術者がどのくらいいるか知ることが難しく、出来ればそのような条件を知り得た方が、納得のいく美容が行われると思われる。
【０００６】
従来は美容を行う際、「料金、店舗の見た目、評判、知人の紹介」などからしか決める要素がなく、実際に美容を行う技術者の内的条件「価値観、性格、趣味」や外的条件「出身地、性別、年齢、婚歴、経験年数、実績、」などの情報が得られないといった課題があった。また、今までは一般利用客は自身でお店を決め、美容を行うにあたって訪問者的立場であることが一般的であった。
【０００７】
このような課題を解決する為の技術として、例えば、特開２００１−３５０９９８の「美容師等のオンライン予約管理システム」においては、コンピュータや携帯情報端末などが接続されるコンピュータネットワークにおいて、オンライン上に表示された情報一覧の中から顧客が美容室や担当美容師等を検索し、予約をし、その他の情報を送受信することが可能であり、美容室等からは顧客の個人情報や履歴、その他の情報を閲覧し管理等をすることが可能な、美容師等のオンライン予約・管理システムを提供するための技術が開示されている。しかしながら、ここに開示されている技術によっては、美容室や既にいる担当美容師の予約や検索、またその他の情報のやり取りが可能ではあるが、一般利用客が新しく自身の希望に合った担当美容技術者を探すこと、また紹介を受ける事が出来ない。自身で予約のやり取りを行うため、従来の一方的な訪問者的立場での美容を行うことになり、美容技術者と一般利用客との間に第三者的立場で紹介を行うシステムが提供されていないので、新しく自身の担当美容技術者を探す際の煩いが解消されない。
【０００８】
また、特開２００３−１５７３１９の「理容室予約情報同期化システム」においては、顧客が美容室外のコンピュータや携帯電話からインターネットを利用して入力した少なくとも予約情報と理美容室に設置されているコンピュータ上の予約情報を自動的に整合化を行えるようにした理美容室予約情報化システムに関しての技術が開示されている。しかしながら、ここに開示されている技術によっては、顧客の予約情報に関しての自動的な整合化システムの技術が構成されているが、一般利用客が自身の担当美容技術者を見つけることに関して、また美容技術者と一般利用客との間に第三者的立場で紹介を行うシステムが提供されていない。  
【発明の開示】
【発明が解決しようとする課題】
【０００９】
従来は美容を行う際、「料金、店舗の見た目、評判、知人の紹介」などからしか決める要素がなく、実際に美容を行う技術者の内的条件「価値観、性格、趣味」や外的条件「出身地、性別、年齢、婚歴、経験年数、実績、血液型、生年月日」などの情報が得られないといった課題があった。また、今までは一般利用客は自身でお店を決め、美容を行うにあたって訪問者的立場であることが一般的であった。
【００１０】
本発明は、前記のような課題を解決するためのものであり、登録された美容技術者と、一般利用者との内的条件及び外的条件を管理しつつも、内外的適合性について、希望と相性診断プログラムにより、納得のいく技術者との紹介を安全かつ速やかに行う、美容技術者紹介システムを提供することを目的とする。
【００１１】
また従来、美容技術者においては、自身の所属する店舗の広告や評判を知った一般利用客の訪問を待つ立場での営業が一般的であり、インターネットの普及により美容技術者個人に対しての一般利用客からの応募も可能ではあるが、まだまだ店舗と一般利用客との営業が一般的である。本発明は美容技術者と一般利用客とが直接知り合え、お互いが紹介を受ける立場で美容を行えるシステムを提供する為の手段として、美容を希望する一般利用客の希望用件を通信ネットワーク上で知り得た登録会員である美容技術者が応募をし、その応募の中から気に入った美容技術者を決め、管理サーバーからの紹介を受けて美容を行う、美容技術者からの応募による紹介システムを提供することを目的とする。
【課題を解決するための手段】
【００１２】
本発明は前記目的に鑑みてなされたものであり、その要旨とするところは登録会員の入会手続きをした美容技術者の個人データーを管理サーバーが保有するデーターベースに登録しておくステップ。一般利用客が紹介を希望するときはインターネット等の端末、もしくは紹介所より管理サーバーにアクセスして簡単な自己プロフィールと希望する美容技術者の条件を入力し入会手続きを済ませるステップ。管理サーバーが保有する登録会員である、美容技術者の個人データーを記録したデーターベースを参照にデーターマッチングを行うステップ。また一般利用客の希望があれば、予め用意された相性診断プログラムによってデーターマッチングを行うステップ。この結果選ばれた登録会員を一般利用客に紹介するステップ。一般利用客は紹介された登録会員のなかから実際、美容を行いたい美容技術者がいた場合、再び管理サーバーにアクセスして美容を行いたい日時を入力し、これを管理サーバーが一般利用客の選んだ登録会員へ電子メール、電話、ファックス等で連絡して予約を取り決め、双方の希望に合った日時が決まった時点で、双方の同時紹介を行うことを特徴とする美容技術者紹介システムにある。
【００１３】
この様態によれば、コンピューターによる自動的なデーターマッチング処理によって登録会員である美容技術者と一般利用客の双方が多数の紹介者との出会いの機会を高い信頼性と安全性で得ることが出来る。
【００１４】
又、この様態によれば、予約の日時を管理サーバーが提供する通信ネットワーク上で取り決めることが出来、また両者ともが紹介を受ける立場で美容を行える為、直接両者が連絡を取り合う手間、暇、など煩う事がないように美容を行うことができる。
【００１５】
また、本発明の他の要旨は、一般利用客の希望があれば、予め用意された相性診断プログラムによってのマッチングも行える点にある。
【００１６】
前記、相性診断プログラムは管理サーバーが作る、星座、干支、血液型、生年月日、などの占い要素からなる、独自のプログラムである。
【００１７】
また、本発明の他の要旨は、管理サーバーが運営する通信ネットワーク上にて、登録会員の美容技術者を公開し、入会手続きを終えた一般利用客は、その公開された中から気に入った美容技術者がいた場合には、通信ネットワーク上にて紹介を受けることができ、また通信ネットワーク上にて連絡が取り合えることを特徴とする美容技術者紹介システムにある。
【００１８】
また、本発明の他の要旨は、通信ネットワークに接続された端末を保有する紹介所を設けることによって、端末を持たない一般利用客の管理サーバーへの接続を可能にする点である。
【００１９】
また、本発明の他の要旨は、登録を希望する美容技術者の入会手続きを通信ネットワークに接続された端末上、もしくは紹介所を通じて行う点である。
【００２０】
また、本発明の他の要旨は、管理サーバーが運営する通信ネットワークを通じて一般利用客からの紹介希望の申し込みがあれば、通信ネットワーク上にて申し込み要件を公開し、通信ネットワーク等を通じて会員登録を済ました美容技術者は公開されている一般利用客の申し込み要件を閲覧し、自身が要件を満たしていると思える場合には通信ネットワークを通じて、応募をするステップ。また応募を受けた一般利用客は、その応募の中から自身の気に入った美容技術者を選び、通信ネットワークを通じて美容を行う意思を伝えるステップ。また、応募に受かった美容技術者は通信ネットワークを通じて、再度一般利用客に対して応募の意思があることを伝えるステップ。そして通信ネットワークを通じて、両者の美容を行う日時を取り決めることからなる美容技術者紹介システムにある。
【００２１】
登録を希望する美容技術者は入会手続きを行う際、「氏名、年齢、生年月日、血液型、干支、星座、出身地、働いている店舗、店舗の連絡先、職務経歴、性格、趣味、婚暦、実績」などを端末上から、管理サーバーに入力し、管理サーバーはこれを認証し、登録会員に対してＩＤ番号及びパスワードを発行する。
【００２２】
上記、登録会員のデーターを管理サーバーは自身の保有するデーターベースに保存する。
【００２３】
入会を希望する一般利用客は入会手続きを行う際、氏名、連絡先（携帯電話番号、メールアドレス、住所等）、希望条件、自己プロフィール(趣味、出身地、血液型、星座、干支、職歴等)を端末上から、管理サーバーに入力し、管理サーバーはこれを認証し、一般利用客に対してＩＤ番号及びパスワードを発行する。
【００２４】
上記、入会手続きの終えた一般利用客のデーターを管理サーバーは自身の保有するデーターベースに保存する。
【００２５】
また、本発明の他の要旨はまた、登録会員、一般利用客の双方に評価システムをつけることにより、実際美容が行われた際に一般利用客が無断でのキャンセルや遅刻が無かったか、又、美容技術者が約束の日時にきちんと美容を行ったか、誠実な対応をしてくれたか、実際の美容は納得のいくものであったか、などの評価が付けられ、紹介の際の判断の基準となる。
【発明の効果】
【００２６】
以上のように本発明によれば、インターネットなどの端末、もしくは紹介所を通じて、一般利用客が簡単な自己プロフィールと希望技術者の要件を管理サーバーへ入力して、管理サーバーが保有する登録会員である、美容技術者の個人データーを記録したデーターベースを参照にデーターマッチングを行い、また一般利用客の希望があれば、予め用意された相性診断プログラムによってデーターマッチングを行い、その結果選ばれた美容技術者に連絡を取って美容を行う日時の予約を取り決め双方の同時紹介を行う様にしたので、一般利用客は自分の希望に合った美容技術者を高い安全性と信頼性を得ながら選び、美容を行う事が出来る。
【００２７】
また本発明によれば、登録会員である美容技術者の希望により、管理サーバーが運営する通信ネットワーク上に公開し、入会手続きを終えた一般利用客はその公開された情報の中から自身の希望に合った美容技術者を選び、通信ネットワーク上にて美容を行う日時の予約、詳細の連絡を取り合うことが可能である。一般利用客と美容技術者とが互いに必要に合った、また納得のいく美容を行うことが出来、尚且つ通信ネットワーク上にて両者供が紹介を受ける立場で美容を行うことが出来る。
【００２８】
また、本発明によれば一般利用客の希望により、応募要件を通信ネットワーク上に公開し、会員登録である美容技術者は通信ネットワーク上を通じて自身が要件を満たし、応募の意思があれば応募申し込みをし、一般利用客はこの応募申し込みの中から自由に美容技術者を選べるプログラムを提供するものである。その結果、一般利用客は自身の納得のいく美容技術者を見つけることができ、今まで一般的であった、一般利用客の一方的な訪問者的立場を排除する本発明によって、両者が通信ネットワークを通じての訪問者であり、美容を行う前に両者が両者の情報を得て、両者が納得の行く美容が行われる効果がある。
【００２９】
また、管理サーバーが作る独自の相性診断プログラムのデーターマッチングにより生年月日、血液型、干支などの占い的な要素から選ぶ事も出来るので、意外性のある運命的な出会いを提供できる効果がある。
【００３０】
また、本発明によれば、初対面でありながら、互いの簡単な自己プロフィールを知ることが出来るので、美容を行う際のコミュニケーションが図り易い効果がある。
【００３１】
また、本発明によれば、登録会員に評価を付けるシステムを付随したため、過去における紹介を受けた一般利用客からの評価を元に、紹介される美容技術者の評価値を判断できる効果がある。
【００３２】
また、本発明によれば、上記に挙げた評価システムによって、美容技術者からのより一層、誠実な美容が提供される効果がある。
【発明を実施するための最良の形態】
【００３３】
以下、本発明の実施の一形態を図によって説明する。図１は本発明の美容技術者紹介システムを概念的に示すブロック図である。同図において２はデーター入力手段としてのパーソナルコンピューター、携帯電話等の端末で、一般利用客１及び美容技術者３の入会手続きや紹介希望の手続きが行われる。また４は通信ネットワークで、６は４に接続されている美等技術者紹介の各種サービスを提供する管理サーバーである。この管理サーバー６は登録会員である美容技術者の個人データー及び、入会手続きを終えた一般利用客のデーターを記録したデーターベース７を保有する。５は端末を持たない登録を希望する美容技術者や、入会を希望する一般利用客の為に通信ネットワークに接続された端末を提供する紹介所である。
【００３４】
次に本発明の美容技術者紹介システムによるマッチング手順を図２のフローチャートを参照しながら説明する。先ず、登録を希望する美容技術者の個人データーをデーターベースに保管する。個人データーに氏名、年齢、生年月日、血液型、干支、星座、出身地、働いている店舗、店舗の連絡先、職務経歴、性格、趣味、婚暦、実績、などがある。(step 1) 
【００３５】
管理サーバーは登録会員に対して、ID番号及びパスワードを発行する。(step2) 
【００３６】
登録会員のデーターは管理サーバーが保有するデーターベースに保存される。（step3）
【００３７】
登録を希望する一般利用客はインターネット、携帯電話等の端末、もしくは紹介所５を通じて管理サーバー６に接続して入会手続きを行う。(step 4)
【００３８】
入会手続きには書面、電子メールで氏名、連絡先(携帯電話番号、メールアドレス、住所等)、希望条件、自己プロフィール(趣味、出身地、血液型、星座、干支、職歴)等を管理サーバーに登録する。管理サーバーは入会の登録を済ませた一般会員に対して、ID番号及びパスワードを発行する。(step 5)
【００３９】
承認が済むと、一般利用客の登録会員の個人データーはデーターベース７に保存される。（step6）
【００４０】
一般利用客から紹介の申し込みがあると、管理サーバー６はデーターベース７から希望条件に合う登録会員（美容技術者）とのデーターマッチングを行う。又一般利用客の希望があれば、管理サーバーが作る独自の相性診断プログラムによってのマッチングを行う。(step 7)
【００４１】
前記(step 7)の結果選ばれた登録会員(美容技術者)を、紹介を希望する一般利用客に電子メール等によって紹介する。(step 8)
【００４２】
一般利用客はこの中から気に入った美容技術者がいれば、美容を行いたい希望の日時を端末上から入力する。また、通信ネットワーク上にて相手の美容技術者と連絡のやり取りを行うことが可能であるので、簡単な質問等のやり取りを行ったうえで、美容の日時を両者間で取り決める。（step9）（step10）
【００４３】
両者間での美容が行われる日時が決まった時点で、再度管理サーバーが第三者的立場として、両者の紹介を行う。（step11）
【００４４】
実際に美容を行う。(step12)
【００４５】
美容が行われた後、双方は問題無く美容が行われたかを評価システムに従って、端末上にて通信ネットワークを通じて、管理サーバーに報告する。この報告を受けた管理サーバーは、両者に評価点を付けてデーターベースに保存する。（ step13） 
【００４６】
通信ネットワーク上にて、希望する美容技術者を公開する。一般利用客はこの中から、自身の希望に合った美容技術者を見つけ、美容技術者はその一般利用客からの応募を待つ。（step14）（step15）
【００４７】
一般利用客はこの中から気に入った美容技術者がいれば、美容を行いたい希望の日時を端末上から入力する。また、通信ネットワーク上にて相手の美容技術者と連絡のやり取りを行うことが可能であるので、簡単な質問等のやり取りを行ったうえで、美容の日時を両者間で取り決める。（step16）（step17）
【００４８】
両者間での美容が行われる日時が決まった時点で、再度、管理サーバーが第三者的立場として、両者の紹介を行う。（step18）
【００４９】
実際に美容を行う。(step 1９)
【００５０】
美容が行われた後、双方は問題無く美容が行われたかを評価システムに従って、端末上にて通信ネットワークを通じて、管理サーバーに報告する。この報告を受けた管理サーバーは、両者に評価点を付けてデーターベースに保存する。（ step20）
【００５１】
美容技術者からの応募を希望する一般利用客は、希望要件を通信ネットワーク上にて公開し、登録を終えた一般利用客は登録された美容技術者からの応募を待つ。希望要件には、店舗所在地、業務経験年数、性別、コンテスト入賞経験、応募締め切り日時、などがある。（step21)    
【００５２】
管理サーバーは、美容技術者からの応募を希望する一般利用客の登録を受け、通信ネットワーク上に希望要件を公開する。（step22)
【００５３】
通信ネットワーク上に公開された一般利用客の希望要件を見て、自身がその希望要件に当てはまり、その一般利用客の美容を希望する美容技術者は、通信ネットワークを通じて登録をして、一般利用客からの返事を待つ。（step23)
【００５４】
美容技術者からの応募を受けた一般利用客は、その応募の中から自身が気に入った美容技術者がいた場合は、応募を受ける旨を通信ネットワークを通じて管理サーバーに伝える。また、応募の中に気に入った美容技術者がいなかった場合や、応募がなかった場合は、引き続き応募を募集するか、希望要件を変えるか、応募を締め切るかを管理サーバーに伝える。（step24)
【００５５】
一般利用客からの依頼の返答を受けた美容技術者は、通信ネットワークを通じて一般利用客に対して依頼を受けるかどうかの返答を再度する。この際、両者は通信ネットワークを通じて美容を行うにあたっての質疑応答ができる。（step25)
【００５６】
実際に美容を行う。(step26)
【００５７】
美容が行われた後、双方は問題無く美容が行われたかを評価システムに従って、端末上にて通信ネットワークを通じて、管理サー バーに報告する。この報告を受けた管理サーバーは、両者に評価点を付けてデーターベースに保存する。（ step 27）                                                                        
【図面の簡単な説明】
【００５８】
【図１】本発明を概念的に示すブロック図である。
【図２】本発明を実施するためのフローチャートである。
【符号の説明】
【００５９】
１      一般利用客  
２      端末      
３      美容技術者
４      通信ネットワーク
５      紹介所
６      管理サーバー
７      データーベース
【図１】
2008009675.tif 000003
【図２】
2008009675.tif 000004